(57)【要約】【課題】  数ＧＨｚの帯域幅を持つ無線伝送方式（ＵｌｔｒａＷｉｄｅｂａｎｄ方式以後ＵＷＢ方式）を撮像機に搭載した場合、この無線伝送方式で使用される短時間パルスを利用し被写体や送受信機器間の距離を測定し、ＡＦ制御等に利用することを目的としている。【解決手段】  画像・音声データの送受信を行うデータ送受信回路（ＵＷＢ方式を採用）、およびＵＷＢ方式で用いられる短時間パルスの反射波を用いて測距を行う測距回路、および測距動作とデータ転送動作を切換える切換え手段を設けている。【選択図】  図１
2006340149.tif 000002
【特許請求の範囲】
【請求項１】
数ＧＨｚ幅の帯域を持つ無線伝送方式（Ｕｌｔｒａ  Ｗｉｄｅｂａｎｄ方式）を用いた撮像装置において、映像・音声データの送受信を行うデータ送受信回路、および撮影時に該データ送受信ブロックで使用される短時間パルスの反射波により被写体との距離を測定する測距回路、および測距処理とデータ転送処理を切換える切換え手段を設けることを特徴とする無線伝送機能を具備した撮像装置。
【請求項２】
該被写体との距離データは少なくとも、焦点距離情報に利用されることを特徴とする請求項１に記載の無線伝送機能を具備した撮像装置。
【請求項３】
該データ送受信ブロックにより、映像・音声データの送信を行う場合、該測距回路により、受信機器との距離を測定し、送信可能であるか否かを判定する手段を設けることを特徴とする請求項１に記載の無線伝送機能を具備した撮像装置。
【請求項４】
該測距回路において被写体との距離を測定できない場合、警告表示等を表示する表示回路を具備することを特徴とする請求項１に記載の無線伝送機能を具備した撮像装置。
【請求項５】
該測距回路において送受信機器間の距離が送信可能範囲外で、画像・音声データの送信が行えない場合、警告表示等を表示する表示回路を具備することを特徴とする請求項１に記載の無線伝送機能を具備した撮像装置。
【発明の詳細な説明】
【技術分野】
【０００１】
本発明は無線伝送機能を設けた撮像装置に関するものである。
【背景技術】
【０００２】
従来の無線伝送機能を設けた撮像装置では、無線送受信回路を設けた機器間で画像および音声データを送受信することは可能であったが、撮影時に無線送受信回路の短時間パルスの反射波を用いて撮像対象までの距離を測定し、焦点制御等を行うことはなかった。さらに無線送受信回路を画像および音声データ転送に使用する場合、撮影対象までの距離の測定に使用する場合、またどちらにも使用しない場合とを切換える、切換え回路が具備されていなかった。
【０００３】
又、従来例としては、例えば特許文献１をあげることが出来る。
【特許文献１】特開２００２−１１２０９３号公報
【発明の開示】
【発明が解決しようとする課題】
【０００４】
上記従来例で示した通り、無線伝送機能を設けた撮像装置において、無線伝送を行うための回路ブロックと撮影時に焦点制御を行う回路ブロックが独立に存在し、無線伝送を行う回路ブロックでは、被写体との距離およびデータ送受信を行う機器間の距離情報を算出する機能がなかった為、焦点制御を行うブロックなど、測距情報を必要とする回路ブロックに測距情報を供給することができず、測距情報を必要とする回路ブロックでは、各々の回路ブロックに測距を行う回路を持たせ独立に動作させていた。
【０００５】
本出願における目的は上記問題点の解決であり、無線伝送機能において、数ＧＨｚの帯域を持つ無線伝送方式（Ｕｌｔｒａ  Ｗｉｄｅｂａｎｄ方式  以後ＵＷＢと記す）を用いて短時間パルスの反射波を利用し被写体およびデータ送受信を行う機器間の距離を測定することで、測距情報を必要とする回路ブロックが各々、測距回路を持つことなく、無線伝送を行う回路ブロックで距離情報を生成し他の回路ブロックに供給することが可能となる。
【課題を解決するための手段】
【０００６】
本提案は上記課題を実現するためのもので、本出願に係る提案は、撮像装置にＵＷＢ方式を用い、無線伝送回路ブロックおよび、データ転送時に使用する短時間パルスの反射波を受信し被写体との距離を測定する測距回路ブロックを設け、さらに測距処理とデータ転送処理を切換える、切換え回路を設けることで、データ転送モードでは短時間パルスによる数Ｇビット／秒の高速データ転送を可能にし、撮影時では切換え回路により測距処理を行い被写体との距離を測定することを可能にし、無線伝送回路でデータ転送と測距処理の両方を行うことが可能になる。
【発明の効果】
【０００７】
以上説明したように、本出願に係る提案によれば、撮像装置にＵＷＢ方式を用い、無線伝送回路ブロックおよび、データ転送時に使用する短時間パルスの反射波を受信し被写体との距離を測定する測距回路ブロックを設け、さらに測距処理とデータ転送処理を切換える、切換え回路を設けることで、データ転送モードでは短時間パルスによる数Ｇビット／秒の高速データ転送を可能にし、カメラモード時では切換え回路により測距処理を行い被写体との距離を測定することを可能にし、無線伝送回路でデータ転送と測距処理の両方を行うことが可能になる。
【発明を実施するための最良の形態】
【０００８】
図１は本提案をディジタルビデオカムコーダに適用した場合の基本構成図、図２はＵＷＢ方式の無線送受信回路ブロック、図３は測距方法、図４は実施例１の概略図、図５は実施例２の概略図、図６は実施例２におけるデータ転送処理フローチャートを示す。
【０００９】
まず本提案をディジタルビデオカムコーダに適用した場合の基本構成について図１を用いて説明する。本実施例は、大きく分けて、被写体を撮影すると共にその映像信号を生成するカメラ部１と、カメラ部１から供給される映像信号を記録／再生するレコーダ部２と、カメラ部１からレコーダ部２を介して供給される映像信号を表示する映像表示部３と、ブロック全体のモード管理等、システムを制御するシステム制御部４と映像・音声データを外部機器との間で送受信する場合にデータを符号・復号する為の符号・復号化部５と、ＵＷＢ方式で無線伝送する為のデータ送受信部６と、ＵＷＢ方式で使用する短時間パルスの反射波を利用し被写体もしくは通信機器との距離を測定する測距部７と、ＵＷＢ方式の無データ送受信部６を距離測定に使用するのか、データ転送に使用するかを切換える切換え部８と、各ブロックに電力供給を行う為の電源部９からなる。
【００１０】
カメラ部１は、撮影レンズ１０、オートアイリス１１、撮像素子（ＣＣＤ）１２、およびカメラ信号処理回路１３からなる。撮像素子１２は、撮影レンズ１０により結像され、オートアイリス１１により光量調整された光学像を電気信号に変換する。カメラ信号処理回路１３は、撮像素子１２の出力画像信号を二重相関サンプリングし、利得を自動調整し、その出力にγ補正、色バランス調整および輝度／色差変換など周知の処理を施して、レコーダ部２に供給する。
【００１１】
レコーダ部２は、ＶＴＲ信号処理回路１４の映像信号と記録再生回路１５からなり、アナログ方式で有るかデジタル方式であるかを問わない。ＶＴＲ信号処理回路の映像信号は、カメラ部１のカメラ信号処理回路１３からの映像信号にＶＴＲ信号処理を施して、記録再生回路１５と映像表示部３に供給する。再生モードでは、記録再生回路１５からの再生映像信号を表示部３に供給する。記録再生回路１５は、記録モードではＶＴＲ信号処理回路１４の映像信号からの映像信号を記録媒体に記録し、再生モードでは、記録媒体から記録信号を再生し、再生映像信号をＶＴＲ信号処理回路１４の映像信号に供給する。
【００１２】
表示部３は、液晶表示パネル１７と液晶表示パネル１７を背面から照明する照明光源１８と液晶表示パネル１７および照明光源１８を駆動する駆動回路１６からなる。液晶表示パネル１７は、アスペクト比３：４の通常画面だけではなく、アスペクト比１６：９のワイド画面にも対応可能である。
【００１３】
システム制御部４はマイクロコンピュータ１９によりカメラ部１、レコーダ部２、表示部３、符号・復号化部５、データ送受信部６、測距部７、切換え部８、電源部９を制御する。符号・復号化部５は映像・音声データの無線送信を行う場合は符号化回路２０で符号化し、逆に外部機器からの映像・音声データの無線受信を行う場合は復号化回路２１で復号化を行う。データ送受信部６はＵＷＢ方式の無線伝送技術を採用し（ＵＷＢ方式の無線送受信回路ブロックについては後述）、符号化されたデータを送信する送信回路２２、外部機器から送信された映像・音声データを受信する受信回路２３、および無線伝送行う為に用いる数ｎＳの短時間パルスを発生させる短時間パルス発生器２４で構成される。測距部７は上記データ送受信部６で用いられる短時間パルスを被写体に発振し、その反射波を受け、反射波が戻る時間をもとに被写体との距離を測定する測距回路２５で構成される。切換え部８はデータ送受信部６を映像・音声データの送受信に使用するのか、短時間パルスを用いた距離測定に用いるのかを切換える切換え回路で構成される。電源部７はバッテリーパック２５から供給される電圧を電源２４で昇圧および降圧し各ブロックの要求に応じた電圧を供給する。
【００１４】
図２は図１で示したデータ送受信部６に用いられるＵＷＢ方式の無線送受信回路ブロックである。送信信号は無線ＬＡＮなどにも使用されるＰＮコードを利用しパルス遅延器３５、パルス発生器３７を通り、帯域通過フィルタ３１により帯域制限をかけた信号をアンテナから送信する。また受信信号は同様に帯域通過フィルタ３１を通し、相関器３２（マッチトフィルタ）およびアンプを通過させたデータを復号化回路２１に送る。なおデータの変復調は短時間パルスの送信時間を制御することによって行われる。この変復調にはパルスの時間軸上の位置を１００ｐｓ単位でずらす「パルス位置変調」や、パルスの位相を１８０度変えて伝送する「２相位相変調」、パルスの強度によって変調する「パルス振幅変調」などがある。図２に示す回路構成によりＵＷＢ無線伝送方式を可能にし、数ＧＨｚの帯域幅を利用しデータを５００ＭＨｚ／ｓ〜１ＧＨｚ／ｓの高速データ転送を可能にする。
【００１５】
図３は無線送受信回路で使用される短時間パルスを使用し、被写体との距離を測定する方法を図示したものである。距離測定時はパルス発生器２４で生成される短時間パルスを発振し被写体に反射した反射波を測距回路２５で受け、短時間パルスが出力されてから反射波が入力されるまでの時間を計測することで距離を割り出す。
【実施例１】
【００１６】
図４を用いてＵＷＢ方式の無線伝送技術をビデオカメラに適用した場合の実施例を説明する。図４のＶＴＲモード時に映像・音声データ送受信を行う場合、図１におけるシステム制御部４から切換え回路２６にデータ送受信を行う為にデータ送受信部６を動作させるコマンドが送られこのコマンドにより切換え回路２６はデータ送受信状態にデータ送受信部６を制御する。これら一連の処理により、図４の（ＶＴＲモード時）に示す通り、撮影機３８から映像・音声データをＰＣ３９に高速データ転送を行うことが可能となる。
【００１７】
次に図４のカメラモード時の場合、図１におけるシステム制御部４から切換え回路２６に被写体との距離を測定する為にデータ送受信部６を動作させるコマンドが送られこのコマンドにより切換え回路２６は測距回路２５とデータ送受信部６を被写体との距離測定に回路状態を遷移させる（距離測定は図３についての説明を参照）。この測距処理によって得られた被写体との距離情報は、図１におけるカメラ信号処理回路１３にフィードバックされＡＦ制御等、被写体との距離情報を必要とする処理に利用される。
【実施例２】
【００１８】
図５、図６を用いてデータ転送処理を行う場合、送受信機器間の距離を測定し転送可能か否かを判断てからデータ転送を行う方法について説明する。図５は、データ転送モードに移行された場合、まず、撮影機３８から短時間パルスを受信機器（この場合ＰＣ３９）に向けて発信し、その反射波をもとに距離を算出しデータ転送可能な距離であればデータ転送を行い、不可能な距離であればユーザーに映像表示部３を利用し警告表示を行い、転送処理を終了させるまたは転送可能な距離になるまで転送待機状態にすることが可能となる。
【００１９】
図６は実施例２のフローチャートである。各フローについて説明すると、ユーザーがデータ転送モードを選択した場合（Ｓ２０１）、まずマイコン１９は切換え回路に測距処理を行う為のコマンドを送りデータ送受信部６および測距部７は測距モードに移行し（Ｓ２０２）、測距処理を開始する（Ｓ２０３）。そして測距回路２５に受信機器（実施例２ではＰＣ３９）に反射した短時間パルスが戻ってこなかった場合は測距不能と判断され（Ｓ２０４）、マイコン１９に警告表示を映像表示部３に出力するよう、コマンドが送られる。このコマンドにより、映像表示部３に警告表示が表示されユーザーはデータ転送ができない状態になることを知ることが可能になる（Ｓ２０５）。ここで短時間パルスの反射波が測距回路２５に戻り送受信機器間の距離が算出できた場合、その距離が転送不可能な距離にあると判断された場合、上記説明と同様に警告表示を行い（Ｓ２０７）、転送可能な場合は切換え回路２６はデータ送受信部６および測距部７をデータ転送モードに切換え、転送処理に移行する（Ｓ２０６、Ｓ２０８、Ｓ２０９）。
【図面の簡単な説明】
【００２０】
【図１】無線伝送装置を具備したビデオカメラ本体構成
【図２】ＵＷＢ方式の無線送受信回路ブロック
【図３】測距方法
【図４】実施例１の概略図
【図５】実施例２の概略図
【図６】実施例２におけるデータ転送処理フローチャート
【符号の説明】
【００２１】
１  カメラ部
２  レコーダ部
３  映像表示部
４  システム制御部
５  符号・復合化部
６  データ送受信部
７  測距部
８  切換え部
９  電源部
１０  レンズ
１１  アイリス
１２  ＣＣＤ
１３  カメラ信号処理回路
１４  ＶＴＲ信号処理
１５  記録再生
１６  駆動回路
１７  液晶パネル
１８  照明光源
１９  マイコン
２０  符号化回路
２１  復合化回路
２２  送信回路
２３  受信回路
２４  パルス発生器
２５  測距回路
２６  切換え回路
２７  電源
２８  バッテリー
２９  アンテナ
３０  アンテナＳＷ
３１  帯域通過フィルタ
３２  相関器
３３  アンプ
３４  ＰＮコード生成回路
【図１】
2006340149.tif 000003
【図２】
2006340149.tif 000004
【図３】
2006340149.tif 000005
【図４】
2006340149.tif 000006
【図５】
2006340149.tif 000007
【図６】
2006340149.tif 000008